(57)【要約】【課題】固体発光素子が絶縁性の透明部材に覆われていながら、その固体発光素子への給電を容易に行うことのできる照明装置及び照明システムを提供する。【解決手段】絶縁性の透明部材１００ａと、透明部材１００ａに覆われる発光モジュール１００と、直流電力を蓄える充電器１０２と、電磁誘導により周期電力を生成する受電コイル１０３と、受電コイル１０３により生成された周期電力を直流電力へ変換する電源回路１０４と、を備える。そして、発光モジュール１００は、直流電力で動作し可視光を発する固体発光素子１０１ａ等を有し、それら固体発光素子１０１ａ等は、受電コイル１０３による給電、及び、充電器１０２に蓄えられた電力の少なくとも一方によって駆動される。【選択図】図２
2010262838.tif 000002
【特許請求の範囲】
【請求項１】
絶縁性の透明部材と、
前記透明部材に覆われる発光部と、
直流電力を蓄える充電部と、
電磁誘導により周期電力を生成する受電コイルと、
前記受電コイルにより生成された周期電力を直流電力へ変換する電源回路と、
を備え、
前記発光部は、直流電力で動作し可視光を発する固体発光素子を有し、該固体発光素子は、前記受電コイルによる給電、及び、前記充電部に蓄えられた電力の少なくとも一方によって駆動される、
ことを特徴とする照明装置。
【請求項２】
前記充電部と、前記受電コイルと、前記電源回路とは、前記発光部に内蔵される、
ことを特徴とする請求項１に記載の照明装置。
【請求項３】
持ち運び可能な大きさを有する、
ことを特徴とする請求項１又は２に記載の照明装置。
【請求項４】
前記発光部では、前記透明部材を介して少なくとも相反する２方向に前記固体発光素子が可視光を放射する、
ことを特徴とする請求項１乃至３のいずれか一項に記載の照明装置。
【請求項５】
前記発光部では、前記透明部材を介して少なくとも互いに直交するＸＹＺ軸の６方向に前記固体発光素子が可視光を放射する、
ことを特徴とする請求項４に記載の照明装置。
【請求項６】
少なくとも前記受電コイルにより給電されている間は、間接照明又は補助照明として使用される、
ことを特徴とする請求項１乃至５のいずれか一項に記載の照明装置。
【請求項７】
前記透明部材は、弾性を有する、
ことを特徴とする請求項１乃至６のいずれか一項に記載の照明装置。
【請求項８】
前記透明部材は、樹脂である、
ことを特徴とする請求項７に記載の照明装置。
【請求項９】
前記透明部材は、耐水性を有する、
ことを特徴とする請求項１乃至８のいずれか一項に記載の照明装置。
【請求項１０】
前記透明部材は、前記固体発光素子から発せられた可視光を散乱させる、
ことを特徴とする請求項１乃至９のいずれか一項に記載の照明装置。
【請求項１１】
前記発光部は、少なくとも２つの平面を有し、
前記受電コイルは、前記発光部の少なくとも２つの前記平面に設けられる、
ことを特徴とする請求項１乃至１０のいずれか一項に記載の照明装置。
【請求項１２】
前記発光部は、直方体又は立方体の外形を有し、少なくともその６面にそれぞれ前記固体発光素子が配置される、
ことを特徴とする請求項１乃至１１のいずれか一項に記載の照明装置。
【請求項１３】
前記発光部は、円柱状の外形を有し、少なくともその上面及び底面にそれぞれ前記固体発光素子が配置される、
ことを特徴とする請求項１乃至１１のいずれか一項に記載の照明装置。
【請求項１４】
前記受電コイルによる給電、及び、前記充電部に蓄えられた電力のどちらで前記固体発光素子を駆動するかを切り替えるスイッチング素子をさらに備える、
ことを特徴とする請求項１乃至１３のいずれか一項に記載の照明装置。
【請求項１５】
請求項１乃至１４のいずれか一項に記載の照明装置と、
前記透明部材を介して前記受電コイルと対向することにより該受電コイルに周期電力を生成させる送電コイルと、
を備える、
ことを特徴とする照明システム。
【請求項１６】
周期電力を供給する電源と、
前記電源の周期電力を、より高い周期の周期電力にして前記送電コイルに供給するインバータと、
をさらに備える、
ことを特徴とする請求項１５に記載の照明システム。
【請求項１７】
前記送電コイルを複数有し、前記送電コイルの各々に請求項１乃至１４のいずれか一項に記載の照明装置が設置され、
前記照明装置の任意の２つを入れ替えても、前記送電コイルにより給電することができる、
ことを特徴とする請求項１５又は１６に記載の照明システム。
【請求項１８】
請求項１乃至１４のいずれか一項に記載の照明装置を複数有し、
前記送電コイルの少なくとも１つの面は、前記複数の照明装置の各々の前記受電コイルと対向することが可能な面積を有する、
請求項１５乃至１７のいずれか一項に記載の照明システム。
【発明の詳細な説明】
【技術分野】
【０００１】
本発明は、例えばＬＥＤ（発光ダイオード）、無機ＥＬ、有機ＥＬ等の固体発光素子を使用した照明装置及び照明システムに関する。
【背景技術】
【０００２】
例えば特許文献１に、固体発光素子を使用した照明装置が開示されている。
【先行技術文献】
【特許文献】
【０００３】
【特許文献１】特開２００６−２１００４０号公報
【発明の概要】
【発明が解決しようとする課題】
【０００４】
発明者は、固体発光素子が絶縁性の透明部材に覆われて構成される照明装置を新たに開発する。しかしながら、絶縁性の透明部材に覆われた構造にすると、内部の固体発光素子に給電することが困難になる。
【０００５】
本発明は、こうした実情に鑑みてなされたものであり、固体発光素子が絶縁性の透明部材に覆われていながら、その固体発光素子への給電を容易に行うことのできる照明装置及び照明システムを提供することを目的とする。
【課題を解決するための手段】
【０００６】
本発明の第１の観点に係る照明装置は、絶縁性の透明部材と、前記透明部材に覆われる発光部と、直流電力を蓄える充電部と、電磁誘導により周期電力を生成する受電コイルと、前記受電コイルにより生成された周期電力を直流電力へ変換する電源回路と、を備え、前記発光部は、直流電力で動作し可視光を発する固体発光素子を有し、該固体発光素子は、前記受電コイルによる給電、及び、前記充電部に蓄えられた電力の少なくとも一方によって駆動される。
【０００７】
なお、「周期電力」には、時間とともに大きさ及び方向の両方が周期的に変化する交流電力だけでなく、大きさのみが周期的に変化する電力も含まれる。また、変化の周期は一定（固定）であっても可変であってもよい。
【０００８】
本発明の第２の観点に係る照明システムは、上記第１の観点の照明装置と、前記透明部材を介して前記受電コイルと対向することにより該受電コイルに周期電力を生成させる送電コイルと、を備える。
【発明の効果】
【０００９】
本発明によれば、絶縁性の透明部材に覆われた固体発光素子への給電を容易に行うことができる。
【図面の簡単な説明】
【００１０】
【図１】本発明の実施形態１に係る照明装置及び照明システムの概略構成を示す図である。
【図２】実施形態１に係る照明装置の内部構成を示す斜視図である。
【図３】図２のＸ−Ｚ断面図である。
【図４】図２のＹ−Ｚ断面図である。
【図５】実施形態１に係る照明システムの回路構成を示す図である。
【図６】図５に示す回路の動作を説明するための図である。
【図７】本発明の実施形態２に係る照明装置及び照明システムの概略構成を示す図である。
【図８】実施形態２に係る照明装置の内部構成を示す斜視図である。
【図９】図８のＸ−Ｚ断面図である。
【図１０】本発明の実施形態３に係る照明装置及び照明システムの概略構成を示す図である。
【図１１】本発明の実施形態４に係る照明装置及び照明システムの概略構成を示す図である。
【図１２】本発明の実施形態５に係る照明装置及び照明システムの概略構成を示す図である。
【図１３】発光モジュールの第１の別例を示す図である。
【図１４】発光モジュールの第２の別例を示す図である。
【発明を実施するための形態】
【００１１】
以下、本発明に係る照明装置及び照明システムの実施形態について、図面を参照して説明する。
【００１２】
なお、図中、矢印Ｘ１、Ｘ２、Ｙ１、Ｙ２、Ｚ１、Ｚ２は、互いに直交する３軸（ＸＹＺ軸）に係る６方向を示している。
【００１３】
（実施形態１）
本実施形態に係る照明システムは、図１に示すように、照明装置１０と、送電装置２０と、を備える。送電装置２０は、方形シート状の送電コイル２１と、制御回路２２と、交流電源２３と、を備える。交流電源２３は、例えば電力会社から電線（インフラ）を通じて戸別に（例えば一般家庭や事業所などに）供給される商用電源である。送電コイル２１は、非接触で照明装置１０に給電するために用いられる。１つの送電コイル２１上には、１つの照明装置１０を設置することができる。
【００１４】
照明装置１０は、発光モジュール１００（発光部）と、透明部材１００ａと、から構成される。発光モジュール１００は、例えば立方体の外形を有し、透明部材１００ａは略均一の厚さで発光モジュール１００を被覆する。発光モジュール１００の周囲（６面全て）は、透明部材１００ａに覆われる。透明部材１００ａは、絶縁性の透明材料からなる。この透明材料としては、例えば樹脂を用いることが好ましい。照明装置１０の大きさは、例えば片手で持ち運び可能な大きさである。
【００１５】
発光モジュール１００は、図２（斜視図）、図３（図２のＸ−Ｚ断面図）、図４（図２のＹ−Ｚ断面図）に示すように、固体発光素子１０１ａ〜１０１ｆと、直方体の外形を有する充電器１０２（充電部）と、方形シート状の受電コイル１０３と、方形シート状の電源回路１０４と、を備える。これらは、例えばＺ軸方向に並び、例えば矢印Ｚ１側から、受電コイル１０３、電源回路１０４、充電器１０２の順に配置される。
【００１６】
固体発光素子１０１ａ〜１０１ｆは、発光モジュール１００の各面（６面の各々）に配置される。固体発光素子１０１ａ〜１０１ｆは、直流電力で動作し可視光を発する。固体発光素子１０１ａ〜１０１ｆとしては、例えば表面実装型のＬＥＤ（発光ダイオード）を用いることが好ましい。固体発光素子１０１ａ〜１０１ｆの発光色は、同一の色であっても異なる色であってもよい。照明装置１０を一般照明として使用する場合、固体発光素子１０１ａ〜１０１ｆの発光色は、昼光色、昼白色、白色、温白色、又は電球色などが好ましい。固体発光素子１０１ａ〜１０１ｆは、透明部材１００ａを介して互いに直交するＸＹＺ軸の６方向（矢印Ｘ１、Ｘ２、Ｙ１、Ｙ２、Ｚ１、Ｚ２の方向）に可視光を放射する。
【００１７】
充電器１０２は、直流電力を蓄える。充電器１０２としては、例えば二次電池等を用いることが好ましい。
【００１８】
受電コイル１０３は、送電コイル２１と対向することが可能な場所（例えば発光モジュール１００の矢印Ｚ１側の面近傍）に配置される。給電時には、照明装置１０の矢印Ｚ１側近傍に送電コイル２１を配置することにより、受電コイル１０３が透明部材１００ａを介して送電コイル２１と対向する。その結果、電磁誘導により受電コイル１０３に周期電力が生成される。
【００１９】
電源回路１０４は、受電コイル１０３により生成された周期電力を直流電力へ変換する。
【００２０】
図５に、本実施形態に係る照明システムの回路構成を示す。
【００２１】
制御回路２２は、整流回路２２ａと、コイル駆動回路２２ｂと、から構成される。整流回路２２ａは、例えばダイオード及び平滑コンデンサから構成される。コイル駆動回路２２ｂは、高周波でオン／オフするトランジスタ及びそのスイッチング制御回路から構成される。整流回路２２ａ及びコイル駆動回路２２ｂはインバータとして機能し、交流電源２３の交流電力を高周波電力に変換する。
【００２２】
送電装置２０の送電コイル２１と照明装置１０の受電コイル１０３とはトランスを構成する。送電コイル２１と受電コイル１０３とを対向させることで、両者は非接触で互いに磁気的に結合される。
【００２３】
受電コイル１０３には、電源回路１０４を介して固体発光素子１０１ａ〜１０１ｆの各々が電気的に接続される。固体発光素子１０１ａ〜１０１ｆ同士は、互いに並列に接続される。電源回路１０４は、整流回路１０４ａと、スイッチング素子１０４ｂと、検出回路１０４ｃと、定電流回路１０４ｄと、から構成される。そして、受電コイル１０３には、整流回路１０４ａが接続される。このため、整流回路１０４ａにより、受電コイル１０３で生成される高周波電力から直流電力が得られる。スイッチング素子１０４ｂがオンされると、図５に示すように、整流回路１０４ａの出力（直流電力）が、経路Ｌ１を通じて固体発光素子１０１ａ〜１０１ｆの各々に供給されるとともに、経路Ｌ２を通じて充電器１０２に供給される。これにより、固体発光素子１０１ａ〜１０１ｆの各々が発光し、充電器１０２が充電される。この際、固体発光素子１０１ａ〜１０１ｆの各々には、充電器１０２を介さずに電力が供給される。また、固体発光素子１０１ａ〜１０１ｆの各々に供給される電流は、定電流回路１０４ｄにより安定化される。他方、スイッチング素子１０４ｂがオフされると、図６に示すように、充電器１０２に蓄えられた電力が、経路Ｌ３を通じて固体発光素子１０１ａ〜１０１ｆの各々へ供給される。この場合も、固体発光素子１０１ａ〜１０１ｆの各々に供給される電流は、定電流回路１０４ｄにより安定化される。検出回路１０４ｃは、定電流回路１０４ｄに流れ込む電流、又は受電コイル１０３とスイッチング素子１０４ｂとの間の電位差（電圧）を検出する。なお、本実施形態では、スイッチング素子１０４ｂを、固体発光素子１０１ａ〜１０１ｆに共通のものとしたが、固体発光素子１０１ａ〜１０１ｆの１つ１つにスイッチング素子１０４ｂを設けて、個別に制御するようにしてもよい。
【００２４】
充電器１０２は、直流電力を蓄える二次電池１０２ａと、充放電用コンデンサ１０２ｂと、から構成される。整流回路１０４ａは、例えばダイオード及び平滑コンデンサから構成される。スイッチング素子１０４ｂのオン／オフ状態に応じて、二次電池１０２ａの充電／放電が切り替わる。なお、二次電池１０２ａは、１つであっても複数であってもよい。複数の二次電池１０２ａを直列又は並列に接続してもよい。さらには、スイッチング素子により直列接続と並列接続とを切り替えるようにしてもよい。
【００２５】
上記回路構成により、固体発光素子１０１ａ〜１０１ｆは、受電コイル１０３による給電（交流電源２３から供給される電力）、及び、充電器１０２に蓄えられた電力のどちらかによって駆動される。いずれの電力で駆動されるかは、スイッチング素子１０４ｂのオン／オフ状態で決まる。スイッチング素子１０４ｂの制御態様は任意であるが、例えば受電コイル１０３（交流電源２３）により給電されている間は、スイッチング素子１０４ｂをオンし、受電コイル１０３（交流電源２３）により給電されなくなったときに、スイッチング素子１０４ｂをオフすることが有効である。
照明装置１０は、受電コイル１０３により給電されている間は、例えばシート状の送電コイル２１上に置かれ、屋内又は屋外の照明（例えば間接照明又は補助照明など）として使用される。受電コイル１０３により給電されているか否かは、例えば検出回路１０４ｃにより検出される電流又は電圧に基づいて検知する。ただし、給電の有無を検知する手法はこれに限定されない。例えば照明装置１０が送電コイル２１上に置かれているか否かに基づいて給電の有無を検知してもよい。照明装置１０が送電コイル２１上に置かれているか否かは、例えば設置された時に押し込まれる突没自在のスイッチピンを照明装置１０に設けることにより検知する。
【００２６】
本実施形態の照明システムによれば、固体発光素子１０１ａ〜１０１ｆが絶縁性の透明部材１００ａに覆われていながら、その固体発光素子１０１ａ〜１０１ｆへの給電（継続的な電力の供給）を容易に行うことができる。このため、本照明システムは、基本的に、機械的な接続による充電（有線の充電）や電池の交換などを必要としない。しかも、充電器１０２を有するため、照明装置１０を送電コイル２１から離して、自由に持ち運ぶことができる。また、停電時（例えば災害時）にも、充電器１０２からの電力によって一定時間発光し続けることができる。
【００２７】
災害時に消防士等が使用する場合には、明かりのない危険な場所に入る前に照明装置１０を投げ込んで部屋の中を確認することができる。こうした用途で照明装置１０を用いる場合、強度を確保するため、透明部材１００ａは弾性を有することが好ましい。透明部材１００ａの材料としては、例えばゴム又は樹脂等を用いることが有効である。
【００２８】
送電コイル２１を設置する場所（照明装置１０の設置場所）は任意であり、例えば屋内、車内、又は機内などに設置できる。固体発光素子１０１ａ〜１０１ｆを使用することで、蛍光灯等では困難な形状に成形することも可能になる。
【００２９】
（実施形態２）
本発明の実施形態２に係る照明装置及び照明システムについて、上記実施形態１との相違点を中心に説明する。なおここでは、上記図１に示した要素と同一の要素には各々同一の符号を付し、既に説明した共通の部分、すなわち説明が重複する部分については、便宜上、その説明を割愛することとする。
【００３０】
本実施形態では、図７に示すように、発光モジュール１００及び透明部材１００ａが、それぞれ例えば円柱状の外形を有する。発光モジュール１００の周囲（上面及び底面及び側面）は、透明部材１００ａに覆われる。
【００３１】
発光モジュール１００は、図８（斜視図）及び図９（図８のＸ−Ｚ断面図）に示すように、固体発光素子１０１ａ、１０１ｂと、方形シート状の充電器１０２（充電部）と、円形シート状の受電コイル１０３と、方形シート状の電源回路１０４と、を備える。これらは、例えばＺ軸方向に並び、例えば矢印Ｚ１側から、受電コイル１０３、電源回路１０４、充電器１０２の順に配置される。受電コイル１０３は、送電コイル２１と対向することが可能な場所（発光モジュール１００の矢印Ｚ１側の面近傍）に配置される。
【００３２】
固体発光素子１０１ａ、１０１ｂは、それぞれ発光モジュール１００の底面（矢印Ｚ１側の面）、上面（矢印Ｚ２側の面）に配置される。これにより、固体発光素子１０１ａ、１０１ｂは、透明部材１００ａを介して相反する２方向（矢印Ｚ１、Ｚ２の方向）に可視光を放射する。
【００３３】
こうした円柱状の発光モジュール１００であっても、前述した実施形態１の効果に準ずる効果が得られる。
【００３４】
（実施形態３）
本発明の実施形態３に係る照明装置及び照明システムについて、上記実施形態１又は２との相違点を中心に説明する。なおここでは、上記図１に示した要素と同一の要素には各々同一の符号を付し、既に説明した共通の部分、すなわち説明が重複する部分については、便宜上、その説明を割愛することとする。
【００３５】
本実施形態に係る照明システムは、図１０に示すように、方形シート状の送電コイル２１ａ〜２１ｄと、照明装置１１〜１４と、を備える。照明装置１１〜１４は、互換性を有する。すなわち、照明装置１１〜１４は、送電コイル２１ａ〜２１ｄのいずれによっても、給電することができる。ここで、照明装置１１〜１３は、例えば図１に示した構造と同様の構造を有し、照明装置１４は、例えば図７に示した構造と同様の構造を有する。ただし、照明装置１１〜１４の構造は任意である。また、照明装置の数も任意である。
【００３６】
本実施形態に係る照明システムは、送電コイル２１ａ〜２１ｄを天井、壁、階段、床等に設けることで、例えば間接照明又は補助照明などに用いることができる。しかも、各場所で相互に交換可能であることにより、利便性が高い。この場合も、照明装置１１〜１４を送電コイル２１ａ〜２１ｄから離して、自由に持ち運ぶことができる。
【００３７】
（実施形態４）
本発明の実施形態４に係る照明装置及び照明システムについて、上記実施形態１〜３との相違点を中心に説明する。なおここでは、上記図１に示した要素と同一の要素には各々同一の符号を付し、既に説明した共通の部分、すなわち説明が重複する部分については、便宜上、その説明を割愛することとする。
【００３８】
本実施形態に係る照明システムでは、図１１に示すように、送電コイル２１の１つの面（例えば矢印Ｚ２側の面）が、照明装置１１〜１７の設置面（例えば矢印Ｚ１側の面）の面積の和よりも大きな面積を有する。このため、その面に、それら照明装置１１〜１７を同時に設置することができる。ここで、照明装置１１〜１５は、例えば図１に示した構造と同様の構造を有し、照明装置１６、１７は、例えば図７に示した構造と同様の構造を有する。ただし、照明装置１１〜１７の構造は任意である。また、照明装置の数も任意である。
【００３９】
照明装置１１〜１７を送電コイル２１上に設置することで、照明装置１１〜１７の各々の受電コイル１０３（図２又は図８参照）と送電コイル２１とが対向し、照明装置１１〜１７が、それぞれ送電コイル２１により給電される。したがって、本実施形態の照明システムによれば、効率良く照明装置１１〜１７を充電することができる。本実施形態の送電コイル２１は、照明装置１１〜１７に共通の給電手段であり、照明装置１１〜１７の全てを給電するために用いることができる。
【００４０】
（実施形態５）
本発明の実施形態５に係る照明装置及び照明システムについて、上記実施形態１〜４との相違点を中心に説明する。なおここでは、上記図１に示した要素と同一の要素には各々同一の符号を付し、既に説明した共通の部分、すなわち説明が重複する部分については、便宜上、その説明を割愛することとする。
【００４１】
本実施形態に係る照明システムでは、照明装置１１〜１４（図１２）の透明部材１００ａ（図１又は図７参照）が、耐水性を有する。ここで、照明装置１１は、例えば図７に示した構造と同様の構造を有し、照明装置１２〜１４は、例えば図１に示した構造と同様の構造を有する。ただし、照明装置１１〜１４の構造は任意である。また、照明装置の数も任意である。
【００４２】
図１２に示すように、照明装置１１〜１４は、例えば水槽２００に入れられた水Ｗの中で使用される。送電コイル２１は、例えば水槽２００の底面（矢印Ｚ１側の面）に設置される。この場合も、照明装置１１〜１４の各々の受電コイル１０３（図２又は図８参照）と送電コイル２１とが対向し、照明装置１１〜１４が、それぞれ送電コイル２１により給電される。送電コイル２１は、照明装置１１〜１４に共通の給電手段であり、照明装置１１〜１４の全てを給電するために用いられる。
【００４３】
照明装置１１〜１４は、例えば観賞用の魚を飼育する水槽２００において、装飾のために用いることができる。ただしこれに限定されず、海や川で、あるいは下水管等の工事や清掃などに用いてもよい。また、雨に濡れても使用できるため、透明部材１００ａが耐水性を有する照明装置１１〜１４は、災害時にも有効である。
【００４４】
（他の実施形態）
以上、本発明の実施形態に係る照明装置及び照明システムについて説明したが、本発明は、上記実施形態に限定されない。例えば以下のように変形して実施することもできる。
【００４５】
照明装置１０を送電コイル２１に着脱可能に固定するようにしてもよい。こうすることで、落下等による故障を抑制することができる。ただし、頻繁に持ち運ぶ用途においては、その固定は簡易であることが好ましい。
【００４６】
上記実施形態１又は２において、固体発光素子１０１ａ〜１０１ｆ（図３、図４）又は固体発光素子１０１ａ、１０１ｂ（図９）から放射された光を透明部材１００ａで散乱させるようにしてもよい。例えば透明部材１００ａの材料、カット角、添加材を調整することによって光を散乱させることができる。こうすることで、照明装置１０は、発光モジュール１００を中心にして放射状に光を発することができる。
【００４７】
発光モジュール１００の複数の面に受電コイルを設けてもよい。例えば図１３に示すように、発光モジュール１００の各面（６面の各々）に受電コイル１０３ａ〜１０３ｆを配置してもよい。こうすることで、発光モジュール１００の設置面を自由に選択することが可能になる。図１３の例では、発光モジュール１００の６つの平面全てが設置面となり得る。一方、円柱状の発光モジュール１００は、Ｚ軸方向に関する面対称の形状となるため、図１４に示すように、上面及び底面（いずれも平面）の各々に受電コイル１０３ａ、１０３ｂを設けることが有効である。こうすることで、発光モジュール１００を上下逆さにして設置することも可能になる。
【００４８】
その他の点についても、照明装置又はその回路等の構成は、本発明の趣旨を逸脱しない範囲において任意に変更することができる。
【００４９】
例えば照明装置１０の形状は任意であり、直方体、多角柱、円錐、多角錐（例えば三角錐）、又はその他の多面体などであってもよい。あるいは、照明装置１０の外形を球形にして、その中心に配置された発光モジュール１００から放射状に可視光が放出されるようにしてもよい。
【００５０】
透明部材１００ａの透明材料が弾性を有することは必須ではない。例えばこの透明材料として、ガラス等を用いてもよい。
【００５１】
例えばＬＥＤに代えて、無機ＥＬ、有機ＥＬ等を固体発光素子１０１ａ〜１０１ｆとして用いてもよい。また、固体発光素子の数も任意である。
【００５２】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。
【産業上の利用可能性】
【００５３】
本発明の照明装置及び照明システムは、一般照明に適している。
【符号の説明】
【００５４】
１０〜１７  照明装置
２０  送電装置
２１、２１ａ〜２１ｄ  送電コイル
２２  制御回路
２２ａ  整流回路
２２ｂ  コイル駆動回路
２３  交流電源
１００  発光モジュール（発光部）
１００ａ  透明部材
１０１ａ〜１０１ｆ  固体発光素子
１０２  充電器（充電部）
１０２ａ  二次電池
１０２ｂ  充放電用コンデンサ
１０３、１０３ａ〜１０３ｆ  受電コイル
１０４  電源回路
１０４ａ  整流回路
１０４ｂ  スイッチング素子
１０４ｃ  検出回路
１０４ｄ  定電流回路
２００  水槽
【図１】
2010262838.tif 000003
【図２】
2010262838.tif 000004
【図３】
2010262838.tif 000005
【図４】
2010262838.tif 000006
【図５】
2010262838.tif 000007
【図６】
2010262838.tif 000008
【図７】
2010262838.tif 000009
【図８】
2010262838.tif 000010
【図９】
2010262838.tif 000011
【図１０】
2010262838.tif 000012
【図１１】
2010262838.tif 000013
【図１２】
2010262838.tif 000014
【図１３】
2010262838.tif 000015
【図１４】
2010262838.tif 000016